(57)【要約】【課題】収納部材の開口部を開閉する開閉部材を用いて、収納部材に収納された容器が倒れるのを抑制することができる容器収納装置を得る。【解決手段】一方の開閉部材２４Ａを開放させると、第１連動手段によって他方の開放部材２４Ｂも開放される。一対の開放部材２４は、開放位置で、開口部２０から立ち上がって停止する。このため、収納部材２２の開口部２０を開閉する開閉部材２４を用いて、収納部材２２に収納されたカップ等の容器が倒れるのを抑制することができる。【選択図】図１
2012056533.tif 000002
【特許請求の範囲】
【請求項１】
開口部を備える箱状の収納部材と、
一端部が対向するように前記収納部材の開口部に設けられ、他端側が前記収納部材に軸支されると共に、前記収納部材の前記開口部を開放して前記開口部から立ち上がる開放位置と前記収納部材の前記開口部を閉止する閉止位置とに回動可能とされる一対の開閉部材と、
一対の前記開閉部材の開閉動作を連動させる第１連動手段と、
前記収納部材の内部に設けられ、前記収納部材に収納される容器を保持する保持部材と、
を備える容器収納装置。
【請求項２】
前記第１連動手段は、
一方の前記開閉部材に設けられ、一方の前記開閉部材を回動させるとこの回動動作に伴って回動する第１回動ギアと、
前記第１回動ギアと係合し、前記第１回動ギアを回動させると前記収納部材の前記開口部の開口方向に移動する第１移動ギアと、
他方の前記開閉部材に設けられ、他方の前記開閉部材を回動させるとこの回動動作に伴って回動する第２回動ギアと、
前記第２回動ギアと係合し、前記第２回動ギアが回動させると前記収納部材の前記開口部の開口方向に移動する第２移動ギアと、
前記第１移動ギアと前記２移動ギアとを連結させる連結部材と、を備え、
前記連結部材の外形形状は、前記第１回動ギア、前記第１移動ギア、前記第２回動ギア、前記第２移動ギアが外部から視認されるのを防止するように決められる請求項１項に記載の容器収納装置。
【請求項３】
前記開閉部材が閉止位置に移動したときは、前記保持部材を前記収納部材の内部に収納される収納位置に移動させ、前記開閉部材が開放位置に移動したときは、前記保持部材を前記収納部材の前記開口部から外部に少なくとも一部を突出させる突出位置に移動させる第２連動手段が設けられた請求項１又は２に記載の容器収納装置。
【請求項４】
前記第２連動手段は、
前記保持部材に形成され、前記収納部材の前記開口部の開口方向に対して交差する方向に延びる長溝と、
前記開閉部材に設けられると共に、前記開閉部材の軸支部から離れて配置され、前記長溝にスライド可能に係合する係合ピンと、
を備える請求項３に記載の容器収納装置。
【請求項５】
前記連結部材の外形形状は、前記第２連動手段が外部から視認されるのを防止するように決められる請求項３又は４に記載の容器収納装置。
【請求項６】
一端が前記収納部材に取り付けられ、他端が一対の前記開閉部材に直接又は間接的に取り付けられ、一対の前記開閉部材の所定の開閉位置から前記開閉部材を開放方向に移動させると前記開閉部材に開放方向のモーメントを発生させ、又は一対の前記開閉部材の所定の開閉位置から前記開閉部材を閉止方向に移動させると前記開閉部材に閉止方向のモーメントを発生させる付勢部材を備える請求項１〜５の何れか１項に記載の容器収納装置。
【請求項７】
前記開閉部材の開閉速度を制動するダンパが設けられる請求項６に記載の容器収納装置。
【発明の詳細な説明】
【技術分野】
【０００１】
本発明は、カップ等の容器を収納する容器収納装置に関する。
【背景技術】
【０００２】
特許文献１に記載の容器ホルダ装置（容器収納装置）には、不使用時に、容器を保持する収納部材の開口部を覆う蓋体（開閉部材）が設けられている。そして、この収納部材に容器を保持させる際には、この蓋体は容器の底面に押されて下方へ移動するようになっている。
【先行技術文献】
【特許文献】
【０００３】
【特許文献１】特開２００８−２２１９９３号公報
【発明の概要】
【発明が解決しようとする課題】
【０００４】
しかしながら、従来の容器収納装置では、収納部材に容器を保持される際には、収納部材の開口部を開閉する開閉部材が下方へ移動する構成となっている。このため、収納部材に保持された容器が倒れるのをこの開閉部材で抑制することができなかった。
【０００５】
本発明の課題は、収納部材の開口部を開閉する開閉部材を用いて、収納部材に収納された容器が倒れるのを抑制することである。
【課題を解決するための手段】
【０００６】
本発明の請求項１に係る容器収納装置は、開口部を備える箱状の収納部材と、一端部が対向するように前記収納部材の開口部に設けられ、他端側が前記収納部材に軸支されると共に、前記収納部材の前記開口部を開放して前記開口部から立ち上がる開放位置と前記収納部材の前記開口部を閉止する閉止位置とに回動可能とされる一対の開閉部材と、一対の前記開閉部材の開閉動作を連動させる第１連動手段と、前記収納部材の内部に設けられ、前記収納部材に収納される容器を保持する保持部材と、を備える。
【０００７】
上記構成によれば、収納部材の開口部を開閉する一対の開閉部材は、一端部が対向するように収納部材の開口部に設けられ、他端側が収納部材に軸支されている。そして、一対の開閉部材は、収納部材の開口部を開放して開口部から立ち上がる開放位置と、収納部材の開口部を閉止する閉止位置とに移動可能とされる。また、第１連動手段が一対の開閉部材の開閉動作を連動させる。
【０００８】
さらに、収納部材の内部に設けられる保持部材が、一対の開閉部材が開放位置へ移動して開口部が開放され収納部材に収納される容器を保持する。
【０００９】
ここで、収納部材に容器が収納された状態では、一対の開閉部材は、開口部から立ち上がる開放位置に移動している。このように、開閉部材が、開口部から立ち上がっているため、収納部材の開口部を開閉する開閉部材を用いて、収納部材に収納された容器が倒れるのを抑制することができる。
【００１０】
本発明の請求項２に係る容器収納装置は、請求項１記載において、前記第１連動手段は、一方の前記開閉部材に設けられ、一方の前記開閉部材を回動させるとこの回動動作に伴って回動する第１回動ギアと、前記第１回動ギアと係合し、前記第１回動ギアを回動させると前記収納部材の前記開口部の開口方向に移動する第１移動ギアと、他方の前記開閉部材に設けられ、他方の前記開閉部材を回動させるとこの回動動作に伴って回動する第２回動ギアと、前記第２回動ギアと係合し、前記第２回動ギアが回動させると前記収納部材の前記開口部の開口方向に移動する第２移動ギアと、前記第１移動ギアと前記２移動ギアとを連結させる連結部材と、を備え、前記連結部材の外形形状は、前記第１回動ギア、前記第１移動ギア、前記第２回動ギア、前記第２移動ギアが外部から視認されるのを防止するように決められる。
【００１１】
上記構成によれば、閉止位置に配置される一方の開閉部材を回動させると第１回動ギアが回動する。また、第１回動ギアを回動させることで第１移動ギアが収納部材の開口部の開口方向に移動する。第１移動ギアが開口方向に移動すると、連結部材によって第１移動ギアと連結されている第２移動ギアが開口方向に移動する。第２移動ギアが開口方向に移動することで、第２回動ギアが回動して他方の開閉部材が回動する。このように、一対の開閉部材の開閉動作が連動する。
【００１２】
ここで、連結部材は、第１回動ギア、第１移動ギア、第２回動ギア、第２移動ギアが外部から視認されるのを防止するように決められているため、第１回動ギア、第１移動ギア、第２回動ギア、第２移動ギアは外部から視認することができず、外観品質を向上させることができる。
【００１３】
本発明の請求項３に係る容器収納装置は、請求項１又は２に記載において、前記開閉部材が閉止位置に移動したときは、前記保持部材を前記収納部材の内部に収納される収納位置に移動させ、前記開閉部材が開放位置に移動したときは、前記保持部材を前記収納部材の前記開口部から外部に少なくとも一部を突出させる突出位置に移動させる第２連動手段が設けられる。
【００１４】
上記構成によれば、開閉部材を閉止位置に移動させたときは、第２連動手段が保持部材を収納部材の内部に収納される収納位置に移動させ、開閉部材を開放位置に移動させたときは、第２連動手段が保持部材を収納部材の開口部から外部に少なくとも一部を突出させる突出位置に移動させる。
【００１５】
このように、第２連動手段が、保持部材を収納部材の開口部から突出させることで、収納部材に収納された容器が倒れるのを効果的に抑制することができる。
【００１６】
本発明の請求項４に係る容器収納装置は、請求項３に記載において、前記第２連動手段は、前記保持部材に形成され、前記収納部材の前記開口部の開口方向に対して交差する方向に延びる長溝と、前記開閉部材に設けられると共に、前記開閉部材の軸支部から離れて配置され、前記長溝にスライド可能に係合する係合ピンと、を備える。
【００１７】
上記構成によれば、開閉部材を閉止位置から開放位置へ回動させると、開閉部材に設けられた係合ピンも回動する。開閉部材の回動に伴って回動する係合ピンは、保持部材に形成された長溝をスライドしながら保持部材を収納位置から突出位置へ移動させる。
【００１８】
これに対し、開閉部材を開放位置から閉止位置へ回動させると、開閉部材に設けられた係合ピンも回動する。開閉部材の回動に伴って回動する係合ピンは、保持部材に形成された長溝をスライドしながら保持部材を突出位置から収納位置へ移動させる。
【００１９】
このように簡易な構成で、保持部材を収納位置又は突出位置に移動させることができる。
【００２０】
本発明の請求項５に係る容器収納装置は、請求項３又は４に記載において、前記連結部材の外形形状は、前記第２連動手段が外部から視認されるのを防止するように決められる。
【００２１】
上記構成によれば、連結部材は、第２連動手段が外部から視認されるのを防止するように設けられているため、さらに、外観品質を向上させることができる。
【００２２】
本発明の請求項６に係る容器収納装置は、請求項１〜５の何れか１項に記載において、一端が前記収納部材に取り付けられ、他端が一対の前記開閉部材に直接又は間接的に取り付けられ、一対の前記開閉部材の所定の開閉位置から前記開閉部材を開放方向に移動させると前記開閉部材に開放方向のモーメントを発生させ、又は一対の前記開閉部材の所定の開閉位置から前記開閉部材を閉止方向に移動させると前記開閉部材に閉止方向のモーメントを発生させる付勢部材を備える。
【００２３】
上記構成によれば、一方が収納部材に取り付けられ、他方が一対の開閉部材に直接又は間接的に取り付けられた付勢部材は、開閉部材の所定の開閉位置から開閉部材を開放方向に移動させると開閉部材に開放方向のモーメントを発生させ、開閉部材の所定の開閉位置から開閉部材を閉止方向に移動させると開閉部材に閉止方向のモーメントを発生させる。
【００２４】
このように、付勢部材が、開閉部材に開放方向又は閉止方向のモーメントを発生させることで、容易に開閉部材を開放位置又は閉止位置に移動させることができる。
【００２５】
本発明の請求項７に係る容器収納装置は、請求項６に記載において、前記開閉部材の開閉速度を制動するダンパが設けられる。
【００２６】
上記構成によれば、ダンパが、付勢部材によって開放又は閉止される開閉部材の開閉速度を制動する。これにより、開閉部材の開放又は閉止動作の質感を向上させることができる。
【発明の効果】
【００２７】
本発明によれば、収納部材の開口部を開閉する開閉部材を用いて、収納部材に収納された容器が倒れるのを抑制することができる。
【図面の簡単な説明】
【００２８】
【図１】本発明の実施形態に係る容器収納装置を示した斜視図である。
【図２】本発明の実施形態に係る容器収納装置を示した斜視図である。
【図３】本発明の実施形態に係る容器収納装置を示した斜視図である。
【図４】本発明の実施形態に係る容器収納装置を示した拡大斜視図である。
【図５】本発明の実施形態に係る容器収納装置を示した拡大斜視図である。
【図６】本発明の実施形態に係る容器収納装置を示した拡大斜視図である。
【図７】（Ａ）（Ｂ）（Ｃ）本発明の実施形態に係る容器収納装置を示した断面図である。
【図８】（Ａ）（Ｂ）（Ｃ）本発明の実施形態に係る容器収納装置に用いられた第１連動手段等を示した断面図である。
【図９】（Ａ）（Ｂ）（Ｃ）本発明の実施形態に係る容器収納装置に用いられた第２連動手段等を示した断面図である。
【図１０】本発明の実施形態に係る容器収納装置を示した分解斜視図である。
【図１１】（Ａ）（Ｂ）本発明の実施形態に係る容器収納装置を示した断面図である。
【図１２】本発明の実施形態に係る容器収納装置が用いられた車内を示した斜視図である。
【発明を実施するための形態】
【００２９】
本発明の実施形態に係る容器収納装置の一例について図１〜図１２に従って説明する。なお、図中に示すＵＰは、鉛直方向上方を示す。
【００３０】
（全体構成）
図１２に示されるように、容器収納部材の一例としてのカップホルダー１２は、自動車のセンターコンソール１４の下方であってシフトレバー１６の後方に配置されている。
【００３１】
（要部構成）
図１０に示されるように、カップホルダー１２は、上方が開放された開口部２０を備えると共に一方向に延びる箱状の収納部材２２と、この開口部２０を閉止する一対の開閉部材２４とを備えて構成されている。
【００３２】
一対の開閉部材２４は、一方の開閉部材２４Ａと、他方の開閉部材２４Ｂとから構成され、開口部２０を閉止する閉止位置では、一対の開閉部材２４は、一端部が対向するように設けられている（図３参照）。さらに、開閉部材２４の他端側は収納部材２２に軸支部２６で軸支されている。これにより、一対の開閉部材２４は、開口部２０を閉止する閉止位置（図３参照）と、収納部材２２の開口部２０を開放して開口部２０から立ち上がる開放位置（図１参照）とに回動可能とされている。
【００３３】
また、一対の開閉部材２４の開閉動作を連動させる第１連動手段３０が、収納部材２２の長手方向（図１０に示す矢印Ａ方向、以下単に長手方向と言う）両端側に設けられている。
【００３４】
詳細には、一方の開閉部材２４Ａの軸支部２６には、開閉部材２４Ａの回動方向に対して直交するように扇状の板部材３２が、開閉部材２４Ａと一体的に設けられている。また、この板部材３２には、一方の開閉部材２４Ａを回動させるとこの回動動作に伴って回動する第１回動ギア３４が、軸支部２６を中心とする円弧に沿って形成されている。
【００３５】
さらに、第１回動ギア３４と係合し、第１回動ギア３４を回動させると収納部材２２の開口部２０の開口方向（本実施形態では、一例として鉛直方向と同一方向）に移動する第１移動ギア３６が、板状の連結部材４０に形成されている。
【００３６】
同様に、他方の開閉部材２４Ｂの軸支部２６には、開閉部材２４Ｂの回動方向に対して直交するように扇状の板部材４２が、開閉部材２４Ｂと一体的に設けられている。また、この板部材４２には、他方の開閉部材２４Ｂを回動させるとこの回動動作に伴って回動する第２回動ギア４４が、軸支部２６を中心とする円弧に沿って形成されている。
【００３７】
さらに、第２回動ギア４４と係合し、第２回動ギア４４を回動させると開口方向（鉛直方向）に移動する第２移動ギア４６が、第１移動ギア３６と同様に連結部材４０に形成されている。つまり、連結部材４０によって第１移動ギア３６と第２移動ギア４６とが連結されている。
【００３８】
また、第１移動ギア３６及び第２移動ギア４６は、板状の連結部材４０の内面（長手方向内側に向いた面）に形成されている。
【００３９】
さらに、連結部材４０の外面には、鉛直方向に延びる凹状の縦溝４８が形成されており、この縦溝４８は、収納部材２２の内壁面に設けられ凸状のレール部５２へ移動可能に嵌るようになっている。つまり、連結部材４０は、収納部材２２に対して鉛直方向に移動可能とされる構成となっている。
【００４０】
以上の構成により、図６、図８（Ａ）に示されるように、開閉部材２４の閉止位置では、第１回動ギア３４及び第２回動ギア４４は、第１移動ギア３６及び第２移動ギア４６の鉛直方向上方と係合している。
【００４１】
図４、図５、図８（Ｂ）（Ｃ）に示されるように、例えば、一方の開閉部材２４Ａを開放方向に回動させると、第１回動ギア３４が回動し、これに伴って第１回動ギア３４と係合する第１移動ギア３６が鉛直方向上方へ移動するようになっている。これにより、連結部材４０によって第１移動ギア３６と連結される第２移動ギア４６も鉛直方向上方へ移動する。そして、第２移動ギア４６の鉛直方向上方への移動により、第２回動ギア４４が回動し、他方の開閉部材２４Ｂが開放方向に回動するようになっている。そして、一対の開閉部材２４は、収納部材２２の開口部２０を開放して開口部２０から立ち上がる開放位置へ移動し、図示せぬストッパーと当って停止するようになっている。
【００４２】
このように、第１連動手段３０を設けることで、一対の開閉部材２４の開閉動作が連動するようになっている。そして、第１連動手段３０は、第１回動ギア３４、第１移動ギア３６、第２回動ギア４４、第２移動ギア４６、及び連結部材４０を含んで構成されている。
【００４３】
一方、図１０に示されるように、長手方向両端側に設けられた連結部材４０に挟まれるように、収納部材２２に収納されるカップ等の容器を保持する保持部材５０が設けられている。
【００４４】
そして、この保持部材５０には、カップが挿入される円孔５０Ａが長手方向に並んで２個形成されている。また、円孔５０Ａに挿入されたカップを押圧してカップの姿勢を安定させる押圧部材５３と、この押圧部材５３をカップに向って付勢する付勢部材５１とが夫々の円孔５０Ａに設けられている（図１１（Ａ）（Ｂ）参照）。
【００４５】
また、開閉部材２４を閉止位置に移動させたときは、保持部材５０を収納部材２２の内部に収納される収納位置（図９（Ａ）参照）に移動させ、開閉部材２４を開放位置に移動させたときは、保持部材５０を収納部材２２の開口部２０から外部に少なくとも一部を突出させる突出位置（図９（Ｃ）参照）に移動させる第２連動手段５４が、設けられている。
【００４６】
詳細には、第２連動手段５４は、保持部材５０の長手方向両端側に設けられており、保持部材５０の長手方向両端部に設けられた外壁面に形成され、鉛直方向に対して交差する方向（本実施形態では直交する方向）に延びる長溝５６を備えている。また、長溝５６の
中央側には、鉛直方向に延びる凸部５８が設けられており、長溝５６は、凸部５８により第１長溝５６Ａと第２長溝５６Ｂとに分割されている。
【００４７】
さらに、一方の開閉部材２４Ａの板部材３２には、軸支部２６から離れて配置されると共に、第１長溝５６Ａにスライド可能に係合する第１係合ピン６０が設けられている。同様に、他方の開閉部材２４Ｂの板部材４２には、軸支部２６から離れて配置されると共に、第２長溝５６Ｂにスライド可能に係合する第２係合ピン６２が設けられている。
【００４８】
また、連結部材４０の内面には、保持部材５０の外壁面に形成された鉛直方向に延びる凸部５８が嵌る凹部６４が設けられている。つまり、保持部材５０は、連結部材４０に対して移動方向が鉛直方向に規制されるようになっている。また、前述したように、連結部材４０は、縦溝４８とレール部５２とが係合することで、収納部材２２に対して移動方向が鉛直方向に規制されている。すなわち、保持部材５０は、収納部材２２に対して移動方向が鉛直方向に規制されるようになっている。
【００４９】
以上の構成により、図６、図９（Ａ）に示されるように、開閉部材２４の閉止位置では、保持部材５０は収納部材２２の内部に収納される収納位置に配置され、第１係合ピン６０は第１長溝５６Ａに係合し、第２係合ピン６２は第２長溝５６Ｂに係合している。
【００５０】
図４、図５、図９（Ｂ）（Ｃ）に示されるように、例えば、一方の開閉部材２４Ａを開放方向に回動させると、第１連動手段３０により、他方の開閉部材２４Ｂも連動して開放方向に回動する。
【００５１】
一対の開閉部材２４が連動して開放方向に回動すると、第１係合ピン６０及び第２係合ピン６２が同様に回動しながら鉛直方向上方へ移動する。そうすると、第１係合ピン６０及び第２係合ピン６２が、第１長溝５６Ａ及び第２長溝５６Ｂ内をスライドしながら第１長溝５６Ａ及び第２長溝５６Ｂを鉛直方向上方へ移動させる。
【００５２】
このように、第１長溝５６Ａ及び第２長溝５６Ｂを鉛直方向上方へ移動させることで、保持部材５０が、収納部材２２の開口部２０から外部に少なくとも一部が突出する突出位置（図４、図９（Ｃ）参照）に移動するようになっている。
【００５３】
以上説明したように、第２連動手段５４は、第１係合ピン６０、第２係合ピン６２、第１長溝５６Ａ  及び第２長溝５６Ａを含んで構成されている。
【００５４】
また、前述した連結部材４０の外形形状は、第１連動手段３０及び第２連動手段５４が外部から視認されるのを防止するように決められている。つまり、開閉部材２４を開放位置と閉止位置との間を移動させる際に、第１連動手段３０及び第２連動手段５４が移動する移動範囲、並びに連結部材４０の移動範囲を考慮して、連結部材４０の外形形状が決められている。
【００５５】
一方、図１０に示されるように、一端６６Ａが収納部材２２の側壁に取り付けられ、他端６６Ｂが連結部材４０に固定される付勢部材の一例としての捩じりコイルスプリング６６（以下単にスプリングと言う）が、保持部材５０の長手方向一端側に設けられている。つまり、スプリング６６の他端６６Ｂは、連結部材４０を構成部品として含む第１連動手段３０を介して開閉部材２４に取り付けられている。
【００５６】
図６、図７（Ａ）に示されるように、開閉部材２４の閉止位置では、スプリング６６の他端６６Ｂが、一端６６Ａに対して鉛直方向下方に配置されている。これにより、連結部材４０が鉛直方向下方に付勢（図７（Ａ）矢印参照）され、第１連動手段３０を介して開閉部材２４に閉止方向のモーメントが発生するようになっている。
【００５７】
図５、図７（Ｂ）に示されるように、開閉部材２４の閉止位置と開放位置との中間である所定の開閉位置（以下中間位置と言う）では、スプリング６６が回転してスプリング６６の他端６６Ｂと一端６６Ａとが鉛直方向において同位置に配置される。これにより、連結部材４０が水平方向に付勢（図７（Ｂ）矢印参照）されるため、開閉部材２４に開放方向又は閉止方向のモーメントが発生しないようになっている。
【００５８】
図４、図７（Ｂ）、図７（Ｃ）に示されるように、一対の開閉部材２４を中間位置から開放位置に向けて回動させると、スプリング６６が回転してスプリング６６の他端６６Ｂが、一端６６Ａに対して鉛直方向上方に配置されている。これにより、連結部材４０が鉛直方向上方に付勢（図７（Ｃ）矢印参照）され、第１連動手段３０を介して開閉部材２４に開放方向のモーメントが発生するようになっている。
【００５９】
以上より、開閉部材２４の中間位置より開閉部材２４を開放方向に移動させると、スプリング６６の付勢力によって開閉部材２４に開放方向のモーメントが発生し、開閉部材２４の中間位置より開閉部材２４を閉止方向に移動させると、スプリング６６の付勢力によって開閉部材２４に閉止方向のモーメントが発生するようになっている。
【００６０】
一方、図１０に示されるように、開閉部材２４の開閉速度を回転して制動するダンパ７０が設けられ、保持部材５０の長手方向両端部に設けられた外壁面には、このダンパ７０が取り付けられる凹状の取付部７６が形成されている。
【００６１】
また、ダンパ７０の外周面には係合ギア７０Ａが設けられ、この係合ギア７０Ａと係合する被係合ギア７２が、鉛直方向に延びて連結部材４０の内面に形成されている。
【００６２】
（作用・効果）
先ず、閉止位置に配置された一対の開閉部材２４を開放させる動作について説明する。
【００６３】
図３、図６に示されるように、開閉部材２４の閉止位置では、開閉部材２４が収納部材２２の開口部２０を閉止しており、スプリング６６は第１連動手段３０を介して開閉部材２４に閉止方向のモーメントを発生させている（図７（Ａ）参照）。つまり、開閉部材２４は閉止方向に付勢されている。また、保持部材５０は、収納部材２２の内部に収納されている。
【００６４】
カップホルダー１２を使用する際には、先ずユーザは、例えば一方の開閉部材２４Ａの一端部を把持して、一方の開閉部材２４Ａをスプリング６６の付勢力に対抗して開方向へ回動させる。
【００６５】
一方の開閉部材２４Ａを回動させると、図８（Ａ）（Ｂ）（Ｃ）に示されるように、第１回動ギア３４が軸支部２６を中心に回動し、これに伴って第１回動ギア３４と係合する第１移動ギア３６が鉛直方向上方へ移動する。これにより、連結部材４０によって第１移動ギア３６と連結される第２移動ギア４６も鉛直方向上方へ移動する。つまり、連結部材４０が鉛直方向上方へ移動する。
【００６６】
そして、第２移動ギア４６の鉛直方向上方への移動により、第２移動ギア４６と係合する第２回動ギア４４が回動し、他方の開閉部材２４Ｂが開放方向に回動し、一対の開閉部材２４が連動して中間位置（図２、図５参照）へ移動する。
【００６７】
また、連結部材４０が鉛直方向上方に移動することで、連結部材４０に形成された被係合ギア７２も鉛直方向上方に移動する。そして、被係合ギア７２と係合している係合ギア７０Ａを備えるダンパ７０が回転し、開閉部材２４の開閉速度を回転して制動する。
【００６８】
一方、図９（Ａ）、（Ｂ）に示されるように、一対の開閉部材２４が閉止位置から中間位置に回動すると、第１係合ピン６０及び第２係合ピン６２が同様に回動しながら鉛直方向上方へ移動する。そうすると、第１係合ピン６０及び第２係合ピン６２が、第１長溝５６Ａ及び第２長溝５６Ｂ内をスライドしながら第１長溝５６Ａ及び第２長溝５６Ｂを鉛直方向上方へ移動させる。そして、第１長溝５６Ａ及び第２長溝５６Ｂを鉛直方向上方へ移動させることで、保持部材５０が鉛直方向上方へ移動する。
【００６９】
なお、連結部材４０の鉛直方向上方への移動量は、第１回動ギア３４、第２回動ギア４４が第１係合ピン６０、第２係合ピン６２に対して軸支部２６に近い位置に配置されているため、保持部材５０の鉛直方向上方への移動量より小さくなるようになっている。つまり、連結部材４０が保持部材５０より上方に突出しないようになっている。
【００７０】
また、図７（Ｂ）に示されるように、一対の開閉部材２４が中間位置に到達すると、スプリング６６が回転してスプリング６６の他端６６Ｂと一端６６Ａとが鉛直方向において同位置に配置される。これにより、連結部材４０が水平方向に付勢されるため、開閉部材２４に開放方向又は閉止方向のモーメントが発生しない（デットポイント）。
【００７１】
さらに、中間位置に配置された一対の開閉部材２４を開放位置に向けて移動させる際には、ユーザは、例えば一方の開閉部材２４Ａの一端部を把持して、開放方向へ回動させる。
【００７２】
図７（Ｂ）（Ｃ）に示されるように、一対の開閉部材２４が中間位置から開放位置に向けて回動する。これにより、スプリング６６が回転してスプリング６６の他端６６Ｂが、一端６６Ａに対して鉛直方向上方に配置されている。これにより、連結部材４０が鉛直方向上方に付勢され、第１連動手段３０を介して一対の開閉部材２４に開放方向のモーメントが発生し、一対の開閉部材２４は開放位置へ移動する。
【００７３】
詳細には、図８（Ｂ）（Ｃ）に示されるように、連結部材４０が鉛直方向上方へ移動することで、第１移動ギア３６及び第２移動ギア４６が鉛直方向上方へ移動する。これにより、第１移動ギア３６及び第２移動ギア４６と係合する第１回動ギア３４及び第２回動ギア４４が軸支部２６を中心に回動する。そして、一対の開閉部材２４は、中間位置から収納部材２２の開口部２０を開放して開口部２０から立ち上がる開放位置（図１、図４参照）へと移動し、図示せぬストッパーと当って停止する。
【００７４】
また、連結部材４０が鉛直方向上方へ移動することで、連結部材４０に形成された被係合ギア７２も鉛直方向上方に移動する。そして、被係合ギア７２と係合している係合ギア７０Ａを備えるダンパ７０が回転し、開閉部材２４の開閉速度を制動する。
【００７５】
一方、図９（Ｂ）、（Ｃ）に示されるように、一対の開閉部材２４が中間位置から開放位置に回動すると、第１係合ピン６０及び第２係合ピン６２が同様に回動しながら鉛直方向上方へ移動する。そうすると、第１係合ピン６０及び第２係合ピン６２が、第１長溝５６Ａ及び第２長溝５６Ｂ内をスライドしながら第１長溝５６Ａ及び第２長溝５６Ｂを鉛直方向上方へ移動させる。そして、第１長溝５６Ａ及び第２長溝５６Ｂを鉛直方向上方へ移動させることで、保持部材５０が鉛直方向上方へ移動し、保持部材５０は突出位置へ移動する。これにより、カップがカップホルダー１２に収納可能となる。
【００７６】
なお、一対の開閉部材２４を開放位置から閉止位置へ移動させる場合には、前述した工程の逆工程を行うことで、開閉部材２４は開放位置から閉止位置へ移動する。
【００７７】
以上説明したように、開閉部材２４の開放位置では、開閉部材２４が、開口部２０から立ち上がっているため、収納部材２２の開口部２０を開閉する開閉部材２４を用いて、収納部材２２に収納されたカップ等の容器が倒れるのを抑制することができる。
【００７８】
また、連結部材４０の外形形状は、第１連動手段３０及び第２連動手段５４が外部から視認されるのを防止するように決められているため、外観品質を向上させることができる。
【００７９】
また、開閉部材２４を開放位置へ移動させると、第２連動手段５４が、保持部材５０を収納部材２２の開口部２０から突出させる。これにより、収納部材２２に収納されたカップ等の容器が倒れるのを効果的に抑制することができる。つまり、より高い位置で容器の上方を支持することができる。
【００８０】
また、第１係合ピン６０及び第２係合ピン６２と、第１係合ピン６０及び第２係合ピン６２がスライド可能に係合する第１長溝５６Ａ及び第２長溝５６Ｂとを設けることで、簡易な構成で、保持部材５０を収納位置又は突出位置に移動させることができる。
【００８１】
また、スプリング６６が、開閉部材２４に開放方向又は閉止方向のモーメントを発生させることで、容易に開閉部材２４を開閉位置又は閉止位置に移動させることができる。
【００８２】
また、ダンパ７０が、スプリング６６の付勢力によって開放又は閉止される開閉部材２４の開閉速度を制動するため、開閉部材２４の開放又は閉止動作の質感を向上させることができる。
【００８３】
また、連結部材４０の鉛直方向上方への移動量は、保持部材５０の鉛直方向上方への移動量より小さくなるようになっている。これにより、保持部材５０が突出位置へ移動しても、連結部材４０が保持部材５０から突出するのを防止することができる。
【００８４】
なお、本発明を特定の実施形態について詳細に説明したが、本発明は係る実施形態に限定されるものではなく、本発明の範囲内にて他の種々の実施形態が可能であることは当業者にとって明らかである。例えば、上記実施形態では、スプリング６６を保持部材５０の長手方向一端側に設けたが、長手方向両側に設けてもよい。
【００８５】
また、上記実施形態では、収納部材２２の開口部２０の開口方向が、鉛直方向となる場合を例にとって説明したが、特にこれに限定されることなく、開口部の開口方向が、鉛直方向と異なっていてもよい。
【００８６】
また、上記実施形態では、スプリング６６の他端６６Ｂを第１連動手段３０及び保持部材５０を介して開閉部材２４に取り付けたが、特にこれに限定されることなく、スプリングの他端を直接開閉部材に取り付けてもよい。
【符号の説明】
【００８７】
１２          カップホルダー（容器収納装置）
２０          開口部
２２          収納部材
２４          開閉部材
２６          軸支部
３０          第１連動手段
３４          第１回動ギア
３６          第１移動ギア
４０          連結部材
４４          第２回動ギア
４６          第２移動ギア
５０          保持部材
５４          第２連動手段
５６          長溝
５６Ａ        第１長溝
５６Ｂ        第２長溝
６０          第１係合ピン
６２          第２係合ピン
６６          スプリング（付勢部材）
７０          ダンパ
【図１】
2012056533.tif 000003
【図２】
2012056533.tif 000004
【図３】
2012056533.tif 000005
【図４】
2012056533.tif 000006
【図５】
2012056533.tif 000007
【図６】
2012056533.tif 000008
【図７】
2012056533.tif 000009
【図８】
2012056533.tif 000010
【図９】
2012056533.tif 000011
【図１０】
2012056533.tif 000012
【図１１】
2012056533.tif 000013
【図１２】
2012056533.tif 000014